(57)【要約】【課題】  回転レバーの揺動位置によって、ギヤの伝達効率が低下するのを抑制可能とする。【解決手段】  回転レバーの先端に設けられたレバー側ギヤ１と、噛み合い回転によりスイッチを動作可能なスイッチ側ギヤ３と、回転レバーを軸回転可能に支持すると共にスイッチ側ギヤ３の歯面に沿った方向又は該方向に交差する方向へ揺動操作可能に支持され該揺動操作に応じて他の各スイッチを動作可能な揺動レバーとを備えたレバースイッチ装置において、レバー側ギヤ１に、スイッチ側ギヤ３に噛み合う歯部９をスイッチ側ギヤ３の歯面に沿った方向へ弾性的に相対変位可能に支持する弾性変位部７を設け、スイッチ側ギヤ３に、歯部９を弾性変位部７の弾性力により当接維持させる当接部２１を設け、歯部９及び当接部２１に、ガイド面１５，２３を設けたことを特徴とする。【選択図】  図２
2006066154.tif 000002
【特許請求の範囲】
【請求項１】
軸回転操作可能に支持された回転レバーと、
前記回転レバーの先端に設けられたレバー側ギヤと、
前記レバー側ギヤに噛み合うと共に噛み合い回転により被操作部を動作可能な被操作部側ギヤと、
前記回転レバーを軸回転可能に支持すると共に前記被操作部側ギヤの歯面に沿った方向又は該方向に交差する方向へ揺動操作可能に支持され該揺動操作に応じて他の各被操作部を動作可能な揺動レバーとを備えたレバースイッチ装置において、
前記レバー側ギヤ及び被操作部側ギヤの一方に、他方に噛み合う歯部を相手ギヤの歯面に沿った方向へ弾性的に相対変位可能に支持する弾性変位部を設け、
前記レバー側ギヤ及び被操作部側ギヤの他方に、前記歯部を前記弾性変位部の弾性力により当接維持させる当接部を設け、
前記歯部及び当接部の少なくとも一方に、前記レバー側ギヤ及び被操作部側ギヤの噛み合い回転時に歯部を相手側歯面間へ噛み込みガイドするガイド面を設けた
ことを特徴とするレバー操作装置。
【請求項２】
請求項１記載のレバー操作装置であって、
前記弾性変位部を、前記レバー側ギヤに設け、
前記当接部を、前記被操作部側ギヤに設けた
ことを特徴とするレバー操作装置。
【請求項３】
請求項１又は２記載のレバー操作装置であって、
前記弾性変位部を、板面が前記レバー側ギヤ及び被操作部側ギヤの噛み合い回転方向へ沿った板状の弾性可撓部とした
ことを特徴とするレバー操作装置。
【請求項４】
請求項１〜３の何れかに記載のレバー操作装置であって、
前記歯部を、球状に形成し、
前記ガイド面を、前記歯部の球面で構成した
ことを特徴とするレバー操作装置。
【請求項５】
請求項１〜４の何れかに記載のレバー操作装置であって、
前記当接部の端縁に、前記ガイド面を構成する面取りを設けた
ことを特徴とするレバー操作装置。
【発明の詳細な説明】
【技術分野】
【０００１】
本発明は、自動車の方向指示器、ワイパ、前照灯等を操作するレバースイッチ装置等のレバー操作装置に関する。
【背景技術】
【０００２】
従来のレバースイッチ装置として、例えば図４，図５に示すようなものがある。レバースイッチ装置１０１は、スイッチレバー１０３がスイッチケース１０５に支持されたものである。スイッチレバー１０３は、第１レバー１０７と、揺動レバーとしての第２レバー１０９と、回転レバーとしての第３レバー１１１とを備えている。前記第１，第２，第３レバー１０７，１０９，１１１は、同軸心上に配置されている。
【０００３】
前記第１レバー１０７は、第２レバー１０９に対し軸回転操作可能に外装配置されている。前記第３レバー１１１は、第２レバー１０９の軸心部に内装配置され、軸回転操作可能に支持されている。前記第２レバー１０９は、軸部１１３によって可動盤１１５にＹ−Ｙ方向に揺動回転可能に支持されている。可動盤１１５は、軸部１１７を介してスイッチケース１０５にＸ−Ｘ方向（Ｙ−Ｙ方向に交差）へ揺動回転可能に支持されている。
【０００４】
前記第３レバー１１１の一端には、回動ノブ１１９が取り付けられ、同先端には、レバー側ギヤ１２１が設けられている。前記可動盤１１５側には、スイッチ側ギヤ１２３が回転可能に支持されている。スイッチ側ギヤ１２３は、レバー側ギヤ１２１に噛み合っている。
【０００５】
前記第２レバー１０９の前記軸部１１３を中心としたＹ−Ｙ方向への揺動は、スイッチ側ギヤ１２３の歯面に沿った方向であり、前記軸部１１７を中心にしたＸ−Ｘ方向の揺動は、前記スイッチ側ギヤ１２３の歯面に沿った方向に交差する方向となっている。
【０００６】
そして、スイッチレバー１０３をＹ−Ｙ方向に揺動操作すると、被操作部である前照灯のスイッチ操作を行うことができ、メインディマの切替え及びパッシング操作を行うことができる。
【０００７】
前記スイッチレバー１０３を軸部１１７を中心にしてＸ−Ｘ方向に操作すると、被操作部である方向指示器のスイッチ操作を行うことができ、ウインカを点滅させることができる。
【０００８】
前記回動ノブ１１９を回動操作して第３レバー１１１を軸回転操作すると、レバー側ギヤ１２１が連動してスイッチ側ギヤ１２３を噛み合い回転させる。このスイッチ側ギヤ１２３の回転によって、被操作部であるワイパーボリュームスイッチを操作することができ、例えば間欠ワイパ、ワイパ低速、ワイパ高速に順次作動させることができる。
【０００９】
前記第１レバー１０７を軸回転操作すると、ワイパーウォッシャスイッチを操作することができる。
【００１０】
そして、前記レバー側ギヤ１２１及びスイッチ側ギヤ１２３の噛み合い回転は、前記スイッチレバー１０３がＹ−Ｙ方向、Ｘ−Ｘ方向の何れの方向へ操作されたときにも噛み合い回転を維持しなければならない。従って、レバー側ギヤ１２１及びスイッチ側ギヤ１２３は、通常のインボリュート歯車は用いられていない。
【００１１】
図６〜図１１は、スイッチレバーのＹ−Ｙ方向、Ｘ−Ｘ方向の動きと、レバー側ギヤ１２１及びスイッチ側ギヤ１２３との相対位置関係を説明するものである。図６（ａ）は、スイッチレバーがＸ−Ｘ方向へ動く状況を示す平面図、（ｂ）はスイッチレバーがＹ−Ｙ方向へ動く状況を示す側面図、図７（ａ）は、スイッチレバーが中立位置Ｎにあるときのギヤの噛み合い状態を示し、（ａ）は回転軸心方向から見た要部拡大説明図、（ｂ）は回転軸心に直交する方向から見た要部拡大説明図である。図８は、図７（ａ）のＳＡ−ＳＡ矢視断面図、図９は、スイッチレバーがＹ−Ｙ方向の一方へ揺動操作されたときの噛み合い状態を回転軸心に直交する方向から見た要部拡大説明図、図１０（ａ）は、図７（ｂ）の位置に対応した噛み合いを示す説明図、（ｂ）は、図９の位置に対応した噛み合いを示す説明図、図１１は、スイッチレバーをＸ−Ｘ方向の一方へ操作したときの噛み合いを示す要部拡大説明図である。
【００１２】
前記スイッチレバー１０３がＸ−Ｘ方向に揺動操作されて、図７，図８の噛み合い状態から図１１の噛み合い状態となり、又はスイッチレバー１０３が図６（ｂ）のＹ−Ｙ方向に揺動操作された状態で同図（ａ）のＸ−Ｘ方向にさらに操作され、図７，図８の噛み合い状態から図９，図１１の噛み合い状態とされたときでもギヤ相互のの干渉を防止するため、図８のようにレバー側ギヤ１２１の寸法ａと、スイッチ側ギヤ１２３の寸法ｂとの間に隙間を持たせ、図７のように両ギヤ１２１，１２３のピッチ円１２５，１２７間に隙間ｃを持たせなければならなかった。
【００１３】
また、スイッチレバー１０３のＸ−Ｘ方向への揺動によって、レバー側ギヤ１２１がスイッチ側ギヤ１２３に対し図１１のように動き得るようにするため、レバー側ギヤ１２１にテーパ１２４を設けている。
【００１４】
従って、スイッチレバー１０３が中立位置Ｎであっても、図７，図８のような隙間によってギヤ１２１，１２３間にガタが発生し、伝達効率が低下するという問題があった。また、スイッチレバー１０３がＹ−Ｙ方向に揺動操作されたときには、図１０（ａ）の状態から図１０（ｂ）の状態となり、図７で示すピッチ円１２５，１２７間の寸法ｃが図９のように寸法ｄに拡大し、ギヤ１２１，１２３間の噛み合い量が減って、伝達効率がさらに低下するという問題があった。
【００１５】
このようにギヤ１２１，１２３間の伝達効率が低下すると、例えば回転ノブ１１９の回転動作に対してスイッチケース１０５側のスイッチ接点部の動きが少なくなるのでスイッチ操作の遅れが発生し、回転ノブ１１９を操作したときスイッチ動作が緩慢となり、違和感を感ずる恐れがある。
【００１６】
【特許文献１】特開平１１−５３９９７号公報
【発明の開示】
【発明が解決しようとする課題】
【００１７】
解決しようとする問題点は、回転レバーの揺動位置によって、ギヤの伝達効率が低下するという点である。
【課題を解決するための手段】
【００１８】
本発明は、回転レバーの揺動操作位置に係わらず、ギヤの伝達効率を維持可能とするため、レバー側ギヤ及び被操作部側ギヤの一方に、同他方に噛み合う歯部を相手ギヤの歯面に沿った方向へ弾性的に相対変位可能に支持する弾性変位部を設け、前記レバー側ギヤ及び被操作部側ギヤの他方に、前記歯部を前記弾性変位部の弾性力により当接維持させる当接部を設け、前記歯部及び当接部の少なくとも一方に、前記レバー側ギヤ及び被操作部側ギヤの噛み合い回転時に歯部を相手側歯面間へ噛み込みガイドするガイド面を設けたことを最も主要な特徴とする。
【発明の効果】
【００１９】
本発明のレバー操作装置は、レバー側ギヤ及び被操作部側ギヤの一方に、同他方に噛み合う歯部を相手ギヤの歯面に沿った方向へ弾性的に相対変位可能に支持する弾性変位部を設け、前記レバー側ギヤ及び被操作部側ギヤの他方に、前記歯部を前記弾性変位部の弾性力により当接維持させる当接部を設け、前記歯部及び当接部の少なくとも一方に、前記レバー側ギヤ及び被操作部側ギヤの噛み合い回転時に歯部を相手側歯面間に噛み込みガイドするガイド面を設けたため、回転レバーの軸回転操作によって、レバー側ギヤを操作すると、レバー側ギヤ及び被操作部側ギヤの噛み合い回転によって被操作部を動作させることができる。また、揺動レバーを被操作部側ギヤの歯面に沿った方向又は該方向に交差する方向へ揺動操作することによって、他の各操作部を動作させることができる。
【００２０】
前記揺動レバーを被操作部側ギヤの歯面に沿った方向へ揺動操作しても、レバー側ギヤ及び被操作部側ギヤの一方の歯部を弾性変位部を介して相手側ギヤの当接部に弾性的に当接させ位置決めることができる。従って、前記一方の歯部の相手歯部に対する噛み合い状態を維持し、ピッチ円間の隙間の変化を抑制してギヤの伝達効率を維持することができる。
【００２１】
前記揺動レバーを被操作部側ギヤの歯面に沿った方向に交差する方向へ揺動操作したときには、弾性変位部の若干の変形等を介してレバー側ギヤの被操作部側ギヤに対する変位を許容することができる。
【００２２】
前記レバー側ギヤ及び被操作部側ギヤの噛み合い回転時には、ガイド面が弾性変位部で支持された歯部を相手側歯面間へ噛み込みガイドするため、噛み合い回転を確実に行わせることができる。
【００２３】
前記弾性変位部を、前記レバー側ギヤに設け、前記当接部を、前記被操作部側ギヤに設けた場合は、レバー側ギヤの歯部を被操作部側ギヤの当接部に弾性的に当接させて、歯部の噛み合い状態を変化させずに、ギヤの伝達効率を維持することができる。
【００２４】
前記弾性変位部を、板面が前記レバー側ギヤ及び被操作部側ギヤの噛み合い回転方向へ向いた板状の弾性可撓部とした場合は、揺動レバーの揺動操作時でも弾性可撓部の弾性力によって歯部を当接部に確実に当接させて噛み合い状態を維持することができる。レバー側ギヤ及び被操作部側ギヤの噛み合い回転時には、回転力が弾性可撓部の板面方向に伝達され、噛み合い回転を確実に行わせることができる。
【００２５】
前記歯部を球状に形成し、前記ガイド面を歯部の球面で構成した場合は、揺動レバーを被操作部側ギヤの歯面に沿った方向または該方向に交差する方向への何れへ揺動操作した場合にも、弾性変位部で支持された歯部が相手歯部に対して噛み合い状態を確実に維持することができ、ギヤの伝達効率をより確実に維持することができる。
【００２６】
また、レバー側ギヤ及び被操作部側ギヤの噛み合い回転時には、歯部の球面で構成したガイド面が歯部を相手側歯面間へ噛み込みガイドするため、噛み合い回転を確実に行わせることができる。
【００２７】
前記当接部の縁部に、前記ガイド面を構成する面取りを設けた場合は、レバー側ギヤ及び被操作部側ギヤの噛み合い回転時に、弾性変位部で支持された歯部を当接部の面取りによって確実に噛み込みガイドし、噛み合い回転を確実に行わせることができる。
【発明を実施するための最良の形態】
【００２８】
レバー操作装置のギヤの伝達効率を維持するという目的を、弾性変位部を設けることによって実現した。
【実施例１】
【００２９】
図１は、スイッチレバーが中立位置Ｎにあるときのギヤの噛み合い状態を示し、回転軸心方向から見た要部拡大説明図、図２は、スイッチレバーが中立位置Ｎにあるときのギヤの噛み合い状態を示し、回転軸心に直交する方向から見た要部拡大説明図、図３は、ギヤの噛み合い状態を示す要部拡大説明図である。
【００３０】
本実施例も、レバー操作装置であるレバースイッチ装置として図４，図５に示すような自動車のコンビネーションスイッチ装置に適用され、基本的な構成は図４，図５に示すものと同一である。そして、図１が前記図７（ａ）に対応し、図２が前記図７（ｂ）に対応し、図３が図１１に対応している。従って、全体的な構成は図４，図５を共用して説明する。
【００３１】
本実施例でも、レバー側ギヤ１及び被操作部側ギヤとしてのスイッチ側ギヤ３を備えている。前記レバー側ギヤ１は、ギヤ本体５と、弾性変位部７と、歯部９とからなっている。前記レバー側ギヤ１は、前記図４，図５で示す回転レバーとしての第３レバー１１１に設けられている。
【００３２】
前記弾性変位部７は、スイッチギヤ３に噛み合う歯部９をスイッチ側ギヤ３の歯面１９に沿った方向へギヤ本体５に対し弾性的に相対変位可能に支持するものである。弾性変位部７は、ギヤ本体５及び歯部９と共に樹脂によって一体に形成され、板状の弾性可撓部として構成されている。弾性変位部７は、その板面がレバー側ギヤ１及びスイッチ側ギヤ３の噛み合い回転方向へ沿った形態となっている。弾性変位部７は、基部１１側がギヤ本体５に対し連続して一体的に形成され、歯部９側が別れて脚部１３となっている。
【００３３】
前記歯部９は、球状に形成され、歯部９の球面１５は、ガイド面を構成している。ガイド面である球面１５は、レバー側ギヤ１及びスイッチ側ギヤ３の噛み合い回転時に歯部９を相手側歯面１９間へ噛み込みガイドするものである。
【００３４】
前記スイッチ側ギヤ３の歯部１７は、歯面１９が前記歯部９の球面１５と同一の曲率で形成されている。
【００３５】
前記スイッチ側ギヤ３には、歯面１９間の一側に当接部２１が設けられている。当接部２１は、歯面１９間の一側を閉塞する面で構成されている。前記当接部２１の端縁に、ガイド面を構成する面取り２３が設けられている。
【００３６】
前記当接部２１は、前記歯部９を前記弾性変位部７の弾性力によって当接維持させるものである。
【００３７】
前記レバー側ギヤ１のピッチ円Ｐ１及びスイッチ側ギヤ３のピッチ円Ｐ２は、相接するように両ギヤ１，３が配置されている。
【００３８】
そして、前記スイッチレバー１０３が中立位置Ｎにあるとき、前記弾性変位部７の撓みによって、歯部９がスイッチ側ギヤ３の当接部２１及び歯底２５に弾接した状態となっている。
【００３９】
前記スイッチレバー１０３を前記のようにＹ−Ｙ方向の一方へ揺動操作したときでも、例えば図２の一点鎖線図示のように、弾性変位部７が撓みスイッチレバー１０３側の揺動に応じてレバー側ギヤ１のギヤ本体５側は移動するが、歯部９の当接部２１及び歯底２５に対する弾性的な当接状態は維持される。
【００４０】
前記スイッチレバー１０３のＹ−Ｙ方向の他方への揺動操作によりギヤ本体５が図２の一点鎖線図示の状態とは逆方向へ移動した場合にも、弾性変位部７の変形は維持される。従って、同様に歯部９の当接部２１及び歯底２５に対する弾性的な当接は維持され、歯部９，１７間の噛み合い状態をそのまま維持することができる。
【００４１】
このように、スイッチレバー１０３のＹ−Ｙ方向の揺動操作に拘わらず、歯部９のスイッチ側ギヤ３の歯面１９間への噛み合い状態はほぼ同じ状態を維持することができる。このため、第３レバー１１１を軸回転操作したとき、レバー側ギヤ１のギヤ本体５が前記回転操作に応じて回転し、その回転力が弾性変位部７を介して歯部９に伝達され、レバー側ギヤ１の歯部９とスイッチ側ギヤ３の歯部１７との噛み合いによって、両ギヤ１，３が無理なく噛み合い回転する。
【００４２】
そして前記のような噛み合い回転時にも、両ギヤ１，３のピッチ円Ｐ１，Ｐ２は常に接する状態を維持し、両者間に隙間の変化はなく、常に同じ噛み合い量を維持することができ、ギヤの伝達効率を高い状態で維持することができる。
【００４３】
前記レバースイッチ１０３が、Ｘ−Ｘ方向へ操作されたときには、これに応じてギヤ本体５側が揺動する。この場合、ギヤ５の揺動が弾性変位部７を介して、歯部９に伝達され、歯部９の一つが当接部２１及び歯底２５に前記と同様に弾性的に当接したまま歯面１９間でギヤ本体５に応じて自転することができる。この状態では、歯部９，１７間の噛み合いは、例えば図３のようになる。
【００４４】
従って、この状態でも、ギヤ本体５側の回転を弾性変位部７を介して歯部９へ伝達し、歯部９と歯部１７の噛み合いを介し、レバー側ギヤ１及びスイッチ側ギヤ３間の噛み合い回転を円滑に行わせることができる。
【００４５】
尚、図３のような動きの際に歯部９（図３で示す両側の歯部９）が歯面１９に当接して、その動きが規制される場合には、弾性変位部７が多少撓むことによってその規制を許容することができる。
【００４６】
そして、Ｙ−Ｙ方向への操作時又はＸ−Ｘ方向への操作時において、レバー側ギヤ１及びスイッチ側ギヤ３が噛み合い回転するとき、歯面１９間に噛み合っている図３で示す中央の歯部９の一側（図３では左側）に位置する歯部９は、当接部２１よりも歯面１９間外へ外れた位置となる。この位置から、両ギヤ１，３の噛み合い回転によって歯面１９間へ噛み込むときは、歯部９の球面１５がガイド面となって当接部２１の端縁にガイドされつつ、歯部９が歯面１９間へ噛み込みガイドされる。また、本実施例では、当接部２１の端縁に設けた面取り２３によっても、噛み込みガイドを行うことができる。これらによって、レバースイッチ１０３をＹ−Ｙ方向、Ｘ−Ｘ方向の何れへ操作したときにも、レバー側ギヤ１及びスイッチ側ギヤ３の噛み合い回転を円滑に行わせることができる。
【００４７】
尚、上記実施例では、弾性変位部７及び球状の歯部９をレバー側ギヤ１に設け、当接部２１をスイッチ側ギヤ３に設けたが、この構成を逆とし、弾性変位部及び球状の歯部をスイッチ側ギヤ３に設け、当接部２１をレバー側ギヤ１に設ける構成とし、同様の機能を奏させることは可能である。
【００４８】
上記実施例では、歯部９を球状に形成したが、図７、図８で示す従来の形状あるいはその他の形状等を適用することも可能である。
【００４９】
前記歯部９の球面１５を設けない場合には、当接部２１側のガイド面を構成する面取り２３等が必要であり、球面１５を設けた場合は、面取り２３は必ずしも必要ではなくなる。
【００５０】
本発明は、レバースイッチ装置以外のレバー操作装置にも適用することができる。
【図面の簡単な説明】
【００５１】
【図１】スイッチレバーが中立位置にあるときのギヤの噛み合い状態を示し、回転軸心方向から見た要部拡大説明図である（実施例１）。
【図２】スイッチレバーが中立位置にあるときのギヤの噛み合い状態を示し、回転軸心に直交する方向から見た要部拡大説明図である（実施例１）。
【図３】ギヤの噛み合い状態を示す要部拡大説明図である。
【図４】コンビネーションスイッチの断面図である（従来例）。
【図５】コンビネーションスイッチの断面図である（従来例）。
【図６】（ａ）はスイッチレバーがＸ−Ｘ方向へ動く状況を示す平面図、（ｂ）はスイッチレバーがＹ−Ｙ方向へ動く状況を示す側面図である。
【図７】スイッチレバーが中立位置にあるときのギヤの噛み合い状態を示し、（ａ）は回転軸心方向から見た要部拡大説明図、（ｂ）は回転軸心に直交する方向から見た要部拡大説明図である（従来例）。
【図８】図７（ａ）のＳＡ−ＳＡ矢視断面図である（従来例）。
【図９】スイッチレバーがＹ−Ｙ方向の一方へ揺動操作されたときの噛み合い状態を回転軸心に直交する方向から見た要部拡大説明図である（従来例）。
【図１０】図７（ｂ）の位置に対応した噛み合いを示す説明図、（ｂ）は、図９の位置に対応した噛み合いを示す説明図である（従来例）。
【図１１】スイッチレバーをＸ−Ｘ方向の一方へ揺動操作したときの噛み合い状態を示す要部拡大説明図である（従来例）。
【符号の説明】
【００５２】
１  レバー側ギヤ
３  スイッチ側ギヤ（被操作部側ギヤ）
７  弾性変位部（弾性可撓部）
９，１７  歯部
１５  球面（ガイド面）
１９  歯面
２１  当接部
２３  面取り（ガイド面）
【図１】
2006066154.tif 000003
【図２】
2006066154.tif 000004
【図３】
2006066154.tif 000005
【図４】
2006066154.tif 000006
【図５】
2006066154.tif 000007
【図６】
2006066154.tif 000008
【図７】
2006066154.tif 000009
【図８】
2006066154.tif 000010
【図９】
2006066154.tif 000011
【図１０】
2006066154.tif 000012
【図１１】
2006066154.tif 000013